(57)【要約】【課題】本発明は、アワビ、ウニ、サザエ等の藻食動物による食害を防ぎ、藻場の復元を効率良く行うことができる藻場復元用基質および藻場復元方法を提供することを課題とする。【解決手段】事前の培養で海藻６を着生させる上部基質３と、最下点に向けて横断面の面積が漸減する下部基質２とで藻場復元用基質１を構成すると共に、藻場復元用基質１を中心軸Ｚに対して軸対称である構造物とする。おもり部２２は、起きあがりこぼし（だるま）のように藻場復元用基質１が倒れても起き上がるようにするため、すなわち上部基質３を下部基質２よりも常に上方に位置させるための重しとして機能すると共に、海藻の生育に必要な鉄イオンを供給する鉄イオン供給体として機能する。【選択図】        図１
2004267137.tif 000002
【特許請求の範囲】
【請求項１】
海藻を着生させた状態で海中に投入する藻場復元用基質であって、
事前の培養で前記海藻を着生させる上部基質と、
最下点に向けて横断面の面積が漸減する下部基質とからなり、
前記上部基質および前記下部基質は、中心軸に対して軸対称であることを特徴とする藻場復元用基質。
【請求項２】
前記下部基質の前記最下点部分には、鋳鉄製のおもり部が形成されていることを特徴とする請求項１記載の藻場復元用基質。
【請求項３】
前記上部基質は、角度の異なる複数の面を具備することを特徴とする請求項１又は２記載の藻場復元用基質。
【請求項４】
前記上部基質は、角度の異なるホンダワラ類優先付着面とアラメ・カジメ優先付着面とを具備することを特徴とする請求項１乃至３のいずれかに記載の藻場復元用基質。
【請求項５】
前記上部基質および前記下部基質の少なくとも表面層は、ポーラスコンクリートもしくはポーラス状の多孔質な素材で構成されていることを特徴とする請求項１乃至４のいずれかに記載の藻場復元用基質。
【請求項６】
請求項１乃至５のいずれかに記載の藻場復元用基質を用いて磯焼け地帯の藻場を復元させる藻場復元方法であって、
前記藻場復元用基質の前記下部基質および前記上部基質を下部型枠および上部型枠を用いてそれぞれ製作した後、
前記上部型枠のみを脱枠して前記上部基質を露出させた状態で海中培養して前記上部基質に前記海藻を着生させ、
前記上部基質に前記海藻を着生した状態で下部型枠を脱枠して前記藻場復元用基質を前記磯焼け地帯に投入することを特徴とする藻場復元方法。
【発明の詳細な説明】
【０００１】
【発明の属する技術分野】
本発明は、磯焼け地帯に藻場を復元するための藻場復元用基質および藻場復元方法に関し、特に主として岩礁帯に生育する海藻からなる藻場を復元するための藻場復元用基質および藻場復元方法に関する。
【０００２】
【従来の技術】
近年、沿岸部では、潮流、水温の変化や、アワビ、サザエ、ウニ等の藻食動物による食害等の種々の原因によって、水底で大型水生植物が群落状に生育する場所である藻場が消滅してしまういわゆる磯焼けと呼ばれる現象が問題となっており、藻場が消滅してしまった磯焼け地帯では、着生床となる岩石表面が石灰藻で覆われてしまうことが多く、さらに遊走子や胞子の供給源になる母藻群が存在しないため、新たな海藻が着生しにくく、藻場の自然回復が困難な状態になっている。
【０００３】
そこで、藻場を復元させるために、磯焼け地帯への母藻群となる新たな海藻の導入が行われており、例えば特許文献１では、基盤に複数本の柱体を立設した造成用構造物を用い、海藻を一部の柱体に取着し、その海藻から放出される遊走子や胞子を介して他の柱体にも海藻を繁茂させ、それら柱体に繁茂した海藻を母藻群として藻場を復元させる方法が提案されている。
【０００４】
また、特許文献２では、海藻を育成する育成部を具備する育成部材を水中に保持した状態で海藻を育成し、成育した海藻が活着した育成部材を磯焼け地帯の海底に移設し、育成部材に活着した海藻を母藻群として藻場を復元させる方法が提案されている。
【０００５】
【特許文献１】
特開２０００−６９８７８号公報
【特許文献２】
特開２００２−１０１７８６号公報
【０００６】
【発明が解決しようとする課題】
しかしながら、従来技術では、海藻を取着する柱体や、海藻が活着した育成部材は、海底に固定されており、アワビ、サザエ、ウニ等の藻食動物が海藻を取着する柱体や、海藻が活着した育成部材に付着しやすく、アワビ、サザエ、ウニ等の藻食動物によって母藻群となる海藻が食べられてしまい、藻場の復元を効率良く行うことができないという問題点があった。
【０００７】
本発明は斯かる問題点を鑑みてなされたものであり、その目的とするところは、アワビ、ウニ、サザエ等の藻食動物による食害を防ぎ、藻場の復元を効率良く行うことができる藻場復元用基質および藻場復元方法を提供する点にある。
【０００８】
【課題を解決するための手段】
本発明は上記課題を解決すべく、以下に掲げる構成とした。
請求項１記載の発明の要旨は、海藻を着生させた状態で海中に投入する藻場復元用基質であって、事前の培養で前記海藻を着生させる上部基質と、最下点に向けて横断面の面積が漸減する下部基質とからなり、前記上部基質および前記下部基質は、中心軸に対して軸対称であることを特徴とする藻場復元用基質に存する。
また請求項２記載の発明の要旨は、前記下部基質の前記最下点部分には、鋳鉄製のおもり部が形成されていることを特徴とする請求項１記載の藻場復元用基質に存する。
また請求項３記載の発明の要旨は、前記上部基質は、角度の異なる複数の面を具備することを特徴とする請求項１又は２記載の藻場復元用基質に存する。
また請求項４記載の発明の要旨は、前記上部基質は、角度の異なるホンダワラ類優先付着面とアラメ・カジメ優先付着面とを具備することを特徴とする請求項１乃至３のいずれかに記載の藻場復元用基質に存する。
また請求項５記載の発明の要旨は、前記上部基質および前記下部基質の少なくとも表面層は、ポーラスコンクリートもしくはポーラス状の多孔質な素材で構成されていることを特徴とする請求項１乃至４のいずれかに記載の藻場復元用基質に存する。
また請求項６記載の発明の要旨は、請求項１乃至５のいずれかに記載の藻場復元用基質を用いて磯焼け地帯の藻場を復元させる藻場復元方法であって、前記藻場復元用基質の前記下部基質および前記上部基質を下部型枠および上部型枠を用いてそれぞれ製作した後、前記上部型枠のみを脱枠して前記上部基質を露出させた状態で海中培養して前記上部基質に前記海藻を着生させ、前記上部基質に前記海藻を着生した状態で下部型枠を脱枠して前記藻場復元用基質を前記磯焼け地帯に投入することを特徴とする藻場復元方法に存する。
【０００９】
【発明の実施の形態】
以下、本発明の実施の形態を図面に基づいて詳細に説明する。
【００１０】
図１は、本発明に係る藻場復元用基質の実施の形態の構成を示す斜視図である。
【００１１】
本実施の形態の藻場復元用基質１は、図１を参照すると、最下点である頂点Ｘに向けて横断面（中心軸Ｚに垂直な断面）の面積が漸減する尖状アーチ形状の構造物である下部基質２と、複数の異なる角度の面を有する構造物である上部基質３とが一体化されている。また、藻場復元用基質１は、中心軸Ｚに対して軸対称な構造物であり、中心軸Ｚを中心として独楽の原理で回転可能な構成となっている。
【００１２】
下部基質２は、コンクリート部２１と、コンクリート部２１よりも比重が大きい鋳鉄製のおもり部２２と、コンクリート部２１とおもり部２２とを連結する筋金２３とで構成されている。
【００１３】
コンクリート部２１の少なくとも表面層は、セメントに、例えば石炭を燃焼させた時に発生する石炭灰、石炭灰をアルカリ処理した人工ゼオライト等の多孔質素材、網状素材等を混入することによってポーラス状にしたポーラスコンクリート（多孔性コンクリート）やポーラス状の多孔質な素材で構成されている。
【００１４】
おもり部２２は、起きあがりこぼし（だるま）のように藻場復元用基質１が倒れても起き上がるようにするため、すなわち上部基質３を下部基質２よりも常に上方に位置させるための重しとして機能すると共に、海藻の生育に必要な鉄イオンを供給する鉄イオン供給体として機能する。
【００１５】
上部基質３の少なくとも表面層は、コンクリート部２１と同様にポーラスコンクリート（多孔性コンクリート）やポーラス状の多孔質な素材で構成され、上部基質３の形状は、直径の大なる円柱上に直径の小なる円柱を積み重ねた形状になっており、円柱上面（水平面）であるホンダワラ類優先付着面３１と、円柱側面（垂直面）であるアラメ・カジメ優先付着面３２とが形成されている。
【００１６】
また、上部基質３の上面には、藻場復元用基質１を吊り上げるための取っ手として機能するＵ字筋３３が埋め込まれており、Ｕ字筋３３によって下部基質２と上部基質３との一体化を補強している。
【００１７】
なお、図１に示す本実施の形態においては、横断面（中心軸Ｚに垂直な断面）は、円形であるが、中心軸Ｚに対して軸対称な構造物であり、中心軸Ｚを中心として独楽の原理で回転可能な構成となっているのであれば、横断面が多角形であっても良い。
【００１８】
次に、本実施の形態の製造方法および藻場復元法について図２乃至図５を参照して詳細に説明する。
図２および図３は、本発明に係る藻場復元用基質の実施の形態の製造方法を説明するための説明図であり、図４および図５は、本発明に係る藻場復元用基質を用いた藻場復元方法を説明するための説明図である。
【００１９】
おもり部２２と筋金２３とを溶接し、溶接して一体化したおもり部２２と筋金２３とを図２（ａ）に示すような樹脂やＦＲＰ等からなる下部製作型枠４内に敷設する。この状態で下部製作型枠４にポーラスコンクリート等を打設し、コンクリート部２１とおもり部２２とが一体化した下部基質２を製作する。また、下部基質２上に上部基質３を製作するためにコンクリートを打ち継ぐ必要があるため、図２（ａ）に示すように、Ｕ字筋３３を挿し筋としてコンクリートが軟らかいうちに差し込む。
【００２０】
次に、下部基質２が固まった後、図２（ｂ）に示すように、下部製作型枠４の上部に上部製作型枠５を載せ、上部製作型枠５にコンクリートを打設し、下部基質２上に上部基質３を製作することで藻場復元用基質１が形成される。
【００２１】
次に、上部基質３を打設後、図３に示すように、上部製作型枠５を脱枠し、上部基質３を露出させる。上部基質３のみを露出させた状態で、図４（ａ）に示すように、下部製作型枠４ごと藻場復元用基質１を海中に設置し、海中培養を行う。海中培養は、近隣の藻場海域や人工培養プール等で行い、上部基質３に海藻６の遊走子や胞子、幼体等を供給することで上部基質３に海藻６を着生させる。
【００２２】
上部基質３に海藻６が着生した藻場復元用基質１を、図４（ｂ）に示すように、下部製作型枠４から人力もしくはクレーン等で引き抜くことで下部製作型枠４を脱枠し、図５（ａ）に示すように、船上から磯焼け地帯の海中Ｓに投入して海底Ｇに着地させる。また、図５（ｂ）に示すように、海藻がアワビ、ウニ、サザエ等の藻食動物の食害に対して順調に生育するまでロープ７で海中Ｓに吊り下げるようにして、海藻が順調に生育した後に着底させても良い。
【００２３】
藻場復元用基質１は、おもり部２２によって海藻６が着生した上部基質３が上部に位置する状態で海底Ｇに着地する。海底Ｇが岩礁である場合には、藻場復元用基質１が海底Ｇに接する部分が最下点である頂点Ｘ部分のみとなり、藻場復元用基質１は、潮流によって揺動もしくは回転する。従って、アワビ、ウニ、サザエ等の藻食動物が取り付きにくいと共に、表面の古い基質を徐々に更新することができる。
【００２４】
また、おもり部２２は、海中Ｓでさびることによって、コンクリート部２１および上部基質３を介して鉄イオンを海藻６に供給することができ、海藻６は、適した環境化で生育することができる。
【００２５】
次に、他の実施の形態の構成について図６および図７を参照して詳細に説明する。
図６および図７は、本発明に係る藻場復元用基質の他の実施の形態の構成を示す図である。
【００２６】
図６は、上部基質３の形状が異なる他の実施の形態を示しており、図６（ａ）に示す藻場復元用基質８においては、上部基質３は、直径の大なる円柱上に直径の小なる円錐台を積み重ねた形状になっており、円錐台の錐面をアラメ・カジメ優先付着面３２としている。また、錐面の角度Ｒは、任意であるが、図６（ｂ）に示す藻場復元用基質９のように円錐台の上面の直径を底面の直径も大きくして錐面の角度Ｒを９０度以上、好ましくは１２０度程度にすることにより、アラメ・カジメの遊走子や胞子の着生密度が向上する。
【００２７】
図７は、下部基質２の形状が異なる他の実施の形態を示しており、図７（ａ）に示す藻場復元用基質１０においては、下部基質２の形状を、最下点である頂点Ｘ部分をなだらかにした部分球もしくは部分楕円球としている。また、図７（ｂ）に示す藻場復元用基質１１においては、下部基質２の形状を、最下点である頂点Ｘを頂点とする円錐体としている。
【００２８】
このように藻場復元用基質１の形状は、中心軸Ｚに対して軸対称であり、下部基質２の形状が最下点である頂点Ｘに向けて横断面の面積が漸減する形状であれば、様々な形状を採用することができる。
【００２９】
以上説明したように、本実施の形態によれば、事前の培養で海藻６を着生させる上部基質３と、最下点に向けて横断面の面積が漸減する下部基質２とで藻場復元用基質１を構成すると共に、藻場復元用基質１を中心軸Ｚに対して軸対称である構造物とすることにより、藻場復元用基質１が独楽の原理で潮流によって揺動もしくは回転するため、アワビ、ウニ、サザエ等の藻食動物が取り付きにくく、上部基質３に着生した海藻６をアワビ、ウニ、サザエ等の藻食動物による食害から守ることができる。従って、上部基質３に着生した海藻６を母藻群として磯焼け地帯に遊走子や胞子を安定して供給することができるため、藻場の回復を効率良く行うことができるという効果を奏する。
【００３０】
さらに、本実施の形態によれば、下部基質２の最下点を鋳鉄製のおもり部２２とすることにより、藻場復元用基質１を常に起き上がった状態に維持することができると共に、海藻６の生育に必要な鉄イオンを供給することができるという効果を奏する。
【００３１】
さらに、本実施の形態によれば、最下点に向けて横断面の面積が漸減する下部基質２と、事前の培養で海藻６を着生させる上部基質３とをそれぞれ下部製作型枠４と、上部製作型枠５とで順次製作し、上部製作型枠５のみを脱枠して上部基質３を露出した状態で海中培養するようにしたことにより、複数個の藻場復元用基質１をまとめて取り扱うことができると共に、船への搬入作業や海中Ｓへの投入作業の簡便化を図ることができるという効果を奏する。
【００３２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００３３】
【発明の効果】
本発明の藻場復元用基質および藻場復元方法は、事前の培養で海藻を着生させる上部基質と、最下点に向けて横断面の面積が漸減する下部基質とで藻場復元用基質を構成すると共に、藻場復元用基質を中心軸に対して軸対称である構造物とすることにより、藻場復元用基質１が独楽の原理で潮流によって揺動もしくは回転するため、アワビ、ウニ、サザエ等の藻食動物が取り付きにくく、上部基質に着生した海藻をアワビ、ウニ、サザエ等の藻食動物による食害から守ることができる。従って、上部基質に着生した海藻を母藻群として磯焼け地帯に遊走子や胞子を安定して供給することができるため、藻場の回復を効率良く行うことができるという効果を奏する。
【００３４】
さらに、本発明の藻場復元用基質および藻場復元方法は、下部基質の最下点を鋳鉄製のおもり部とすることにより、藻場復元用基質を常に起き上がった状態に維持することができると共に、海藻の生育に必要な鉄イオンを供給することができるという効果を奏する。
【００３５】
さらに、本発明の藻場復元用基質および藻場復元方法は、最下点に向けて横断面の面積が漸減する下部基質と、事前の培養で海藻を着生させる上部基質とをそれぞれ下部製作型枠と、上部製作型枠とで順次製作し、上部製作型枠のみを脱枠して上部基質を露出した状態で海中培養するようにしたことにより、複数個の藻場復元用基質をまとめて取り扱うことができると共に、船への搬入作業や海中への投入作業の簡便化を図ることができるという効果を奏する。
【図面の簡単な説明】
【図１】本発明に係る藻場復元用基質の実施の形態の構成を示す図である。
【図２】本発明に係る藻場復元用基質の実施の形態の製造方法を説明するための説明図である。
【図３】本発明に係る藻場復元用基質の実施の形態の製造方法を説明するための説明図である。
【図４】本発明に係る藻場復元用基質を用いた藻場復元方法を説明するための説明図である。
【図５】本発明に係る藻場復元用基質を用いた藻場復元方法を説明するための説明図である。
【図６】本発明に係る藻場復元用基質の他の実施の形態の構成を示す図である。
【図７】本発明に係る藻場復元用基質の他の実施の形態の構成を示す図である。
【符号の説明】
１、８、９、１０、１１  藻場復元用基質
２  下部基質
３  上部基質
４  下部製作型枠
５  上部製作型枠
６  海藻
７  ロープ
２１  コンクリート部
２２  おもり部
２３  筋金
３１  ホンダワラ類優先付着面
３２  アラメ・カジメ優先付着面
３３  Ｕ字筋
Ｘ  頂点
Ｚ  中心軸
Ｓ  海中
Ｇ  海底
Ｒ  錐面の角度
【図１】
2004267137.tif 000003
【図２】
2004267137.tif 000004
【図３】
2004267137.tif 000005
【図４】
2004267137.tif 000006
【図５】
2004267137.tif 000007
【図６】
2004267137.tif 000008
【図７】
2004267137.tif 000009